(57)【要約】【課題】動画像に映された特定の被写体が行う特定動作と他の比較対象となる（基準となる）特定動作の違いをより詳細に比較することを可能とする。【解決手段】被写体の特定動作が撮影された複数の動画像を再生して表示する一方、前記被写体の特定動作との比較対象となる特定動作の動作速度に関する情報を取得し、前記動画像における前記被写体の特定動作の動作速度と、前記情報により示される前記比較対象となる特定動作の動作速度とを比較し、前記動画像における前記被写体の前記特定動作の再生期間における再生速度を、前記比較の結果に応じて制御し、前記動画像における前記被写体の前記特定動作の再生期間において、前記比較の結果に係る比較情報を表示する。【選択図】図５
2014225772.tif 000002
【特許請求の範囲】
【請求項１】
被写体の特定動作が撮影された動画像を再生して表示する再生表示手段と、
前記被写体の特定動作との比較対象となる特定動作の動作速度に関する情報を取得する取得手段と、
前記再生表示手段により再生して表示される前記動画像における前記被写体の特定動作の動作速度と、前記取得手段により取得された前記情報により示される前記比較対象となる特定動作の動作速度とを比較する比較手段と、
前記再生表示手段による前記特定動作の再生期間における再生速度を、前記比較手段の比較結果に応じて制御する速度制御手段と、
前記再生表示手段による前記特定動作の再生期間において、前記比較手段の比較結果に係る比較情報を前記再生表示手段に表示させる表示制御手段と
を備えたことを特徴とする動画再生装置。
【請求項２】
前記取得手段は、前記特定動作を構成する複数の動作区間毎の動作速度に関する情報を取得し、
前記比較手段は、前記再生表示手段により再生される前記動画像における前記被写体の特定動作の動作速度と、前記取得手段により取得された前記情報により示される前記比較対象となる特定動作の動作速度とを前記複数の動作区間毎に比較し、
前記速度制御手段は、前記比較手段による前記複数の動作区間毎の比較結果に応じて前記再生表示手段により前記動画像を再生して表示する際の再生速度を前記複数の動作区間毎に制御し、
前記表示制御手段は、前記比較手段による前記複数の動作区間毎の比較結果に係る比較情報を前記再生表示手段による各動作区間の再生中に前記表示再生手段に表示させる
ことを特徴とする請求項１記載の動画再生装置。
【請求項３】
前記速度制御手段は、前記比較手段の比較結果に応じて、前記再生表示手段により再生して表示される前記動画像における前記被写体の特定動作の動作速度が、前記取得手段により取得された前記情報により示される前記比較対象となる特定動作の動作速度と同じになるように、前記再生表示手段により前記動画像を再生する際の再生速度を制御することを特徴とする請求項１または２に記載の動画再生装置。
【請求項４】
前記再生表示手段は、被写体の特定動作が個別に撮影された複数の動画像を同時再生して表示し、
前記速度制御手段は、前記比較手段の比較結果に基づいて、前記再生表示手段により同時再生される前記複数の動画像の各々における前記特定動作の動作速度が同一速度となるように、前記複数の動画像の再生速度を制御する
ことを特徴とする請求項３記載の動画再生装置。
【請求項５】
前記取得手段は、前記再生表示手段により同時再生される複数の動画像のうちの１つに映された被写体の特定動作を前記比較対象となる特定動作として、この特定動作の動作速度に関する情報を取得することを特徴とする請求項４記載の動画再生装置。
【請求項６】
前記取得手段は、前記再生表示手段により同時再生される複数の動画像のいずれにおける被写体の特定動作とも異なる実被写体または仮想被写体の特定動作を前記比較対象となる特定動作として、この特定動作の動作速度に関する情報を取得し、
前記比較手段は、前記再生手段により同時再生される複数の動画像の各々について、各動画像における前記被写体の特定動作の動作速度と、前記取得手段により取得された前記情報により示される前記比較対象となる実被写体または仮想被写体の特定動作の動作速度とを比較する
ことを特徴とする請求項４記載の動画再生装置。
【請求項７】
前記表示制御手段は、前記速度制御手段の制御に伴い前記特定動作の再生時の動作速度が撮影時の動作速度から変更された動画像における、前記特定動作の動作速度の変更度合を表す速度調整情報を前記比較情報として、前記再生表示手段による前記特定動作の再生期間に前記再生表示手段に表示させることを特徴とする請求項１乃至６のいずれか１項に記載の動画再生装置。
【請求項８】
前記速度制御手段は、前記比較手段の比較結果に応じて、前記複数の動画像のうちの所定の動画像の再生速度のみを変化させることで、前記複数の動画像の各々における前記特定動作の動作速度が同一速度となるように制御することを特徴とする請求項４記載の動画再生装置。
【請求項９】
前記速度制御手段は、前記比較手段の比較結果に応じて、前記複数の動画像の各々の再生速度を変化させることで、前記複数の動画像の各々における前記特定動作の動作速度が同一速度となるように制御することを特徴とする請求項４記載の動画再生装置。
【請求項１０】
前記再生表示手段は、被写体の特定動作が個別に撮影された複数の動画像を同時再生して表示し、
前記速度制御手段は、前記比較手段による前記複数の動作区間毎の比較結果に応じて、前記再生表示手段により同時再生される前記複数の動画像の各々における前記特定動作の動作速度が前記複数の動作区間毎に同一速度となるように、前記再生表示手段により前記動画像を再生する際の再生速度を前記複数の動作区間毎に制御する
ことを特徴とする請求項２記載の動画再生装置。
【請求項１１】
前記速度制御手段は、前記比較手段の比較結果に応じて、前記複数の動作区間毎に、前記複数の動画像のうちのいずれの再生速度をどのように変化させるかを決定し、この決定に従って前記複数の動画像の再生速度を前記複数の動作区間毎に変化させることを特徴とする請求項１０記載の動画再生装置。
【請求項１２】
前記表示制御手段は、前記速度制御手段の制御に伴い前記複数の動画像のうちのいずれの動画像における前記特定動作の動作速度がどのように変化したかを表す速度調整情報を、前記再生表示手段による各動作区間の再生中に前記再生表示手段に表示させることを特徴とする請求項１１記載の動画再生装置。
【請求項１３】
前記表示制御手段は、特定の動画像における前記特定動作の動作速度の絶対的な変化ではなく、前記複数の動画像における前記特定動作の動作速度の相対的な変化を表す速度調整情報を、前記再生表示手段による各動作区間の再生中に前記表示手段に表示させることを特徴とする請求項１１記載の動画再生装置。
【請求項１４】
前記再生表示手段は、被写体の特定動作が個別に撮影された複数の動画像を同時再生して表示し、
前記取得手段は、前記特定動作を構成する複数の動作区間毎の動作速度に関する情報を取得し、
前記比較手段は、前記再生表示手段により同時再生して表示される前記複数の動画像における前記被写体の特定動作の動作速度と、前記取得手段により取得された前記情報により示される前記比較対象となる特定動作の動作速度とを前記複数の動作区間毎に比較し、
前記速度制御手段は、前記比較手段の比較結果に基づいて、前記再生表示手段により同時に再生して表示される前記複数の動画像の各々における前記特定動作の動作速度が同一速度となるように、前記複数の動画像の再生速度を前記複数の動作区間毎に制御し、
前記表示制御手段は、前記比較手段による前記複数の動作区間毎の比較結果に係る比較情報を前記再生表示手段による各動作区間の再生中に前記表示再生手段に表示させる
ことを特徴とする請求項４記載の動画再生装置。
【請求項１５】
前記速度制御手段は、前記再生表示手段により同時再生して表示する際の前記複数の動画像の各々における再生速度を、各々における前記特定動作の動作速度をいずれかの動画像における前記特定動作の撮影時の動作速度と同一速度となるように、前記複数の動作区間毎に制御することを特徴とする請求項１４記載の動画再生装置。
【請求項１６】
前記再生表示手段は、前記複数の動画像として第１の動画像と第２の動画像とを同時再生して表示し、
前記速度制御手段は、前記再生表示手段により同時再生される前記第２の動画像における前記特定動作の動作速度が前記第１の動画像における前記特定動作の動作速度と同一速度となるように、前記第２の動画像の再生速度に制御する
ことを特徴とする請求項１４又は１５記載の動画再生装置。
【請求項１７】
前記表示制御手段は、前記比較情報を、前記速度制御手段の制御に伴い前記特定動作の再生時の動作速度が撮影時の動作速度から変更された動画像に関係付けて前記再生表示手段に表示させることを特徴とする請求項１４又は１５，１６記載の動画再生装置。
【請求項１８】
前記表示制御手段は、前記速度制御手段の制御に伴い前記特定動作の再生時の動作速度が撮影時の動作速度から変更された動画像における、前記特定動作の動作速度の変更度合を表す速度調整情報を前記比較情報として、前記再生表示手段による各動作区間の再生中に前記表示再生手段に表示させることを特徴とする請求項１４乃至１７のいずれか１項に記載の動画再生装置。
【請求項１９】
前記表示制御手段は、前記特定動作おける前記複数の動作区間毎の前記速度調整情報として、前記特定動作の動作速度の変更度合を表す数値を前記再生表示手段に表示させることを特徴とする請求項１８記載の動画再生装置。
【請求項２０】
前記表示制御手段は、前記特定動作おける前記複数の動作区間毎の前記速度調整情報として、前記速度制御手段による調整前後の再生速度の比を表す情報を、各動作区間の再生中に前記再生表示手段に表示させることを特徴とする請求項１８又は１９記載の動画再生装置。
【請求項２１】
前記特定動作はゴルフスイングであることを特徴とする請求項１乃至２０のいずれか１項に記載の動画再生装置。
【請求項２２】
前記特定動作はゴルフスイングであり、
前記速度制御手段は、前記複数の動画像の各々におけるゴルフスイングの動作速度を、ゴルフスイングにおける複数の動作ポイントにより分割される複数の動作区間毎に同一速度に制御する
ことを特徴とする請求項２乃至２０のいずれか１項に記載の動画再生装置。
【請求項２３】
被写体の特定動作が撮影された動画像を再生して表示する工程と、
前記被写体の特定動作との比較対象となる特定動作の動作速度に関する情報を取得する工程と、
前記動画像における前記被写体の特定動作の動作速度と、前記情報により示される前記比較対象となる特定動作の動作速度とを比較する工程と、
前記動画像における前記被写体の前記特定動作の再生期間における再生速度を、前記比較の結果に応じて制御する工程と、
前記動画像における前記被写体の前記特定動作の再生期間において、前記比較の結果に係る比較情報を表示する工程と
を含むことを特徴とする動画再生方法。
【請求項２４】
被写体の特定動作が撮影された動画像を再生して表示する再生表示手段を備えた動画装置が有するコンピュータを、
前記被写体の特定動作との比較対象となる特定動作の動作速度に関する情報を取得する取得手段と、
前記再生表示手段により再生して表示される前記動画像における前記被写体の特定動作の動作速度と、前記取得手段により取得された前記情報により示される前記比較対象となる特定動作の動作速度とを比較する比較手段と、
前記再生表示手段による前記特定動作の再生期間における再生速度を、前記比較手段の比較結果に応じて制御する速度制御手段と、
前記再生表示手段による前記特定動作の再生期間において、前記比較手段の比較結果に係る比較情報を前記再生表示手段に表示させる表示制御手段と
して機能させることを特徴とするプログラム。
【発明の詳細な説明】
【技術分野】
【０００１】
本発明は、動画像の再生速度を調整可能な動画再生装置、動画再生方法及びプログラムに関する。
【背景技術】
【０００２】
従来、人が行うゴルフスイングのような特定の被写体が行う特定動作の良し悪しを評価する場合の方法として、例えば、プロのゴルフプレイヤーが行う理想的なゴルフスイングを撮影した動画像と、評価対象となる人が行うゴルフスイングを撮影した動画像の双方の動画像を同時再生するなどの方法により、特定の被写体が行う特定動作を基準となる被写体が行う特定動作と比較して評価できるようにする方法が知られている。また、例えば下記特許文献１には、双方の動画像において特定動作の開始時点から終了時点までの動作時間が異なる場合、一方の動画像を基準として、他方の動画像の再生速度を調整することにより、双方の動画像の再生時間を一致させる技術が記載されている。
【０００３】
係る技術によれば、動画像間での特定動作の動作時間を一致させることにより、特定動作の比較が容易となり、例えばプロのゴルフプレイヤーと自分自身とのゴルフスイングの違いを容易に知ることが可能となる。
【先行技術文献】
【特許文献】
【０００４】
【特許文献１】特開平１０−３０４２９９号公報
【発明の概要】
【発明が解決しようとする課題】
【０００５】
しかしながら、上記の技術においては、例えば特定動作がゴルフスイングの場合、双方の動画像においてゴルフスイング中におけるフォームの違いは容易に知ることができる反面、ゴルフスイングの速度の違いが認識不能となるため、特定動作の違いを詳細に比較することができないという問題があった。
【０００６】
本発明は、かかる従来の課題に鑑みてなされたものであり、動画像に映された特定の被写体が行う特定動作と他の比較対象となる（基準となる）特定動作との違いをより詳細に比較することができる動画再生装置、動画再生方法及びプログラムを提供することを目的とする。
【課題を解決するための手段】
【０００７】
前記課題を解決するため、本発明にあっては、被写体の特定動作が撮影された動画像を再生して表示する再生表示手段と、前記被写体の特定動作との比較対象となる特定動作の動作速度に関する情報を取得する取得手段と、前記再生表示手段により再生して表示される前記動画像における前記被写体の特定動作の動作速度と、前記取得手段により取得された前記情報により示される前記比較対象となる特定動作の動作速度とを比較する比較手段と、前記再生表示手段による前記特定動作の再生期間における再生速度を、前記比較手段の比較結果に応じて制御する速度制御手段と、前記再生表示手段による前記特定動作の再生期間において、前記比較手段の比較結果に係る比較情報を前記再生表示手段に表示させる表示制御手段とを備えたことを特徴とする。
【発明の効果】
【０００８】
本発明によれば、動画像に映された特定の被写体が行う特定動作と他の比較対象となる（基準となる）特定動作との違いをより詳細に比較することが可能となる。
【図面の簡単な説明】
【０００９】
【図１】本発明に係る動画再生装置を示すブロック図である。
【図２】再生処理を示すフローチャートである。
【図３】同期再生処理を示すフローチャートである。
【図４】マスター側及びスレーブ側の動画像における特徴ポイントを示す図である。
【図５】（ａ）は、通常再生時における２つの動画像の表示例、（ｂ）は、同期再生時における２つの動画像の表示例をそれぞれ示す図である。
【発明を実施するための形態】
【００１０】
以下、本発明の実施形態について説明する。図１は、本発明の一実施形態における動画再生装置１の電気的構成の要部を示すブロック図である。なお、この動画再生装置１は、具体的には、例えばデジタルカメラや、スマートフォン（Smart Phone）、パーソナルコンピュータにより実現される。
【００１１】
動画再生装置１は、装置全体を制御するＣＰＵ（Central Processing Unit）１１と、プログラムメモリ１２、メインメモリ１３、メディアコントローラ１４、表示部１５、キー入力部１６を備えている。
【００１２】
プログラムメモリ１２は、例えば内蔵フラッシュメモリから構成される不揮発性の記録媒体である。プログラムメモリ１２には、ＣＰＵ１１が動画再生装置１の制御に要する各種プログラム、及び各種データが記憶されている。各種プログラムには、ＣＰＵ１１に前述した２つの動画像を同時再生するための後述する処理を行わせるためのプログラムが含まれる。
【００１３】
メインメモリ１３は、例えばＤＲＡＭ（dynamic random-access memory）から構成されるランダムアクセス可能な揮発性の記録媒体であり、ＣＰＵ１１がプログラムを実行する際のワークメモリとして使用される。すなわちメインメモリ１３には、ＣＰＵ１１がプログラムメモリ１２から読み出したプログラムや、動画像の表示用データ等の各種データが記憶される。
【００１４】
メディアコントローラ１４は、動画再生装置１の図示しない本体に設けられているメモリカードスロットに着脱自在に装着された記録メディア５０と、ＣＰＵ１１との間におけるデータの入出力を制御する入出力インターフェースである。
【００１５】
記録メディア５０は、例えばフラッシュメモリからなる不揮発性のカード型の記憶媒体であり、記録メディア５０には、例えばデジタルカメラにおいて撮影され記録された動画データ、例えばＭＰＥＧ（Motion Picture Experts Group）方式で圧縮された動画データが記録されている。
【００１６】
表示部１５は、例えばバックライト付きのカラー液晶表示パネル、及びその駆動回路により構成され、画像情報や文字情報等の各種情報を表示する。
【００１７】
キー入力部１６は、電源キーや、その他の操作ボタン等によって構成され、ユーザによる操作ボタン等の操作情報をＣＰＵ１１に供給する。
【００１８】
そして、動画再生装置１においては、前記プログラムメモリ１２に格納されているプログラムに従い前記ＣＰＵ１１が後述する再生処理を実行することにより、個別に撮影され記録された２つの動画像における被写体の特定動作を比較可能なように同時に再生する。
【００１９】
ここで、本実施形態において比較可能な被写体の特定動作はゴルフスイングであり、以下の説明においては、記録メディア５０には、比較対象となるゴルフスイング、例えばプロのゴルフプレイヤーのゴルフスイングと、ユーザ自身のゴルフスイングとがそれぞれ正面から撮影された動画像のデータが記憶されているものとする。
【００２０】
以下、ＣＰＵ１１による同時再生処理の手順を図２のフローチャートに従い説明する。
【００２１】
ＣＰＵ１１は、処理を開始すると、まず所定のキー操作によって、記録メディア５０に記録されている動画像のうちで再生対象とする任意の動画像をユーザに選択させ、基準となるマスター側の動画像を設定し（ステップＳ１）、同様にスレーブ側の動画像を設定する（ステップＳ２）。
【００２２】
次に、ＣＰＵ１１は、マスター側及びスレーブ側の動画像について、後述する同期再生処理に際して、表示タイミングを同期させるべきゴルフスイングにおける予め決められている複数の特徴ポイントが該当するフレーム位置を個別に特定する（ステップＳ３）。
【００２３】
ここで、フレーム位置とは、該当フレームが動画像の先頭から何番目のフレームであるかを表すフレーム番号の情報である。
【００２４】
また、マスター側の動画像とスレーブ側の動画像とは同じフレームレート（フレーム間隔）で撮影されたものであり、撮影時のフレームレート（フレーム間隔）は撮影開始から撮影終了までの間、一定であるものとする。
【００２５】
この場合、上記フレーム位置は、各フレームのフレーム番号を表す情報であるとともに、動画像の先頭から該当フレームが撮影されるまでの経過時間を（フレーム間隔を単位時間として）表す情報でもある。
【００２６】
したがって、以下の説明では、上記フレーム位置としてフレーム番号を用いるが、フレーム番号の代わりに上記の経過時間を用いるようにしてもよい。
【００２７】
ＣＰＵ１１が特定する複数の特徴ポイントは、ゴルフスイングにおけるアドレス、振り上げの最高点、インパクト、フィニッシュの瞬間である。図４は、マスター側の動画像（図で上）と、スレーブ側の動画像（図で下）とにおける動画像の先頭ａと、ステップＳ３の処理で特定されるアドレスｂ、振り上げの最高点ｃ、インパクトｄ、フィニッシュｅの各特徴ポイント、及びそれらに対応するフレーム画像を示した図である。
【００２８】
ステップＳ３の処理に際してＣＰＵ１１は、公知の画像処理技術によって、例えば動画像の各フレームの画像からクラブのヘッドやボールを認識し、ヘッドとボールとの位置関係や、クラブのヘッドの軌跡、移動方向を示す動きベクトル等の情報に基づいて、上記の特徴ポイントが該当するフレーム位置（フレーム番号）を特定する。
【００２９】
そして、ＣＰＵ１１は、マスター側及びスレーブ側の動画像のそれぞれにおいて特定した特徴ポイントのフレーム位置（ｆｂ〜ｆｅ）をメインメモリ１３に記憶する（ステップＳ４）。
【００３０】
次に、ＣＰＵ１１は、マスター側及びスレーブ側の動画像を「通常再生」と「同期再生」とのいずれの方法で再生するのかをユーザに選択させる。「通常再生」は、双方の動画像を撮影時と同一のフレームレートで同時に再生する方法である。また、「同期再生」は、マスター側の動画像を撮影時と同一のフレームレートで再生し、かつスレーブ側の動画像を、前述した各特徴ポイント（ｂ〜ｅ）の表示タイミングを一致させるようにフレームレートを適宜調整しながら同時に再生する方法である。
【００３１】
ＣＰＵ１１は、ユーザにより「通常再生」が選択された場合には（ステップＳ５：ＹＥＳ）、直ちに双方の動画像の通常再生を行う（ステップＳ６）。すなわち。前述したように双方の動画像を撮影時と同一のフレームレートで同時に再生（通常再生）し、表示部１５の同一画面上に表示させる。
【００３２】
図５（ａ）は、ユーザにより「通常再生」が選択された直後における表示部１５の表示画面Ｇを示した図であり、ステップＳ６の処理に際してＣＰＵ１１は、双方の動画像をマスター又はスレーブの別を明示した状態で表示画面Ｇ内に左右に並べて表示させる。
【００３３】
また、ステップＳ６の処理に際してＣＰＵ１１は、表示画面Ｇに「通常再生」を示す再生マーク１０１と「同期再生」を示す同期マーク１０２を表示させるとともに、双方の動画像の再生中には、再生マーク１０１の側を反転表示させることにより、通常再生中であることを明示する。
【００３４】
一方、ＣＰＵ１１は、ユーザにより「同期再生」が選択された場合には（ステップＳ５：ＮＯ、ステップＳ７：ＹＥＳ）、直ちに後述する図３に示した同期再生処理を実行する（ステップＳ８）。すなわち前述したように、マスター側の動画像を撮影時と同一のフレームレートで再生し、その間には、スレーブ側の動画像を前述した各特徴ポイント（ｂ〜ｅ）の表示タイミングを一致させるようにフレームレートを適宜調整しながら同時に再生する。
【００３５】
図５（ｂ）は、ユーザにより「同期再生」が選択された場合における表示部１５の表示画面Ｇを示した図であり、ステップＳ８の処理においてもＣＰＵ１１は、双方の動画像をマスター又はスレーブの別を明示した状態で表示画面Ｇ内に左右に並べて表示させる。
【００３６】
また、ステップＳ８の処理に際してＣＰＵ１１は、表示画面Ｇに「通常再生」を示す再生マーク１０１と「同期再生」を示す同期マーク１０２を表示させるとともに、双方の動画像の再生中には、同期マーク１０２の側を反転表示させることにより、同期再生中であることを明示する。
【００３７】
以下、ステップＳ８でＣＰＵ１１が実行する同期再生処理の内容を図３に従い具体的に説明する。同期再生処理においてＣＰＵ１１は、まず、マスター側及びスレーブ側の各動画像の再生対象となるフレーム位置Ｍｆｐｏｓ，Ｓｆｐｏとして、各動画像の先頭フレーム位置ｍｆａ，ｓｆａをそれぞれ設定し（ステップＳ１１）、設定した各々のフレーム位置に対応する各々の画像を並べて表示した１画面を表示部１５に表示させる（ステップＳ１２）。
【００３８】
次に、ＣＰＵ１１は、タイマを起動してマスター側の動画像の各フレームの表示タイミングを決める時間Ｍｔ、及びスレーブ側の動画像の各フレームの表示タイミングを決める時間Ｓｔのカウントを直ちに開始する（ステップＳ１３）。
【００３９】
以後、ＣＰＵ１１は、マスター側の動画像のフレーム位置Ｍｆｐｏｓが、動画像の先頭ａと前述した各特徴ポイント（ｂ〜ｅ）とをそれぞれ起点又は終点とする複数の動作区間に対応する複数のフレーム区間のいずれの区間に該当するかを確認し、該当するフレーム区間に応じたフレーム間隔係数Ｓｋを取得する（ステップＳ１４〜Ｓ２０）。
【００４０】
ここで、複数のフレーム区間は、先頭フレームｍｆａからアドレスｂに対応するフレームｍｆｂまでの第１の区間と、フレームｍｆｂから振り上げの最高点ｃに対応するフレームｍｆｃまでの第２の区間、フレームｍｆｃからインパクトｄに対応するフレームｍｆｄまでの第３の区間、フレームｍｆｄからフィニッシュｅに対応するフレームｍｆｅまでの第４の区間である。
【００４１】
また、フレーム間隔係数Ｓｋは、スレーブ側の動画像のフレーム間隔を決める係数であり、各フレーム区間におけるマスター側の動画像のフレーム数に対するスレーブ側の動画像のフレーム数の比である。
【００４２】
そして、ＣＰＵ１１は、図４に示したように上記第１〜第４のフレーム区間におけるマスター側の動画像のフレーム数をＭａｂ，Ｍｂｃ，Ｍｃｄ，Ｍｄｅ、スレーブ側の動画像のフレーム数をＳａｂ，Ｓｂｃ，Ｓｃｄ，Ｓｄｅとしてフレーム間隔係数Ｓｋを取得する。
【００４３】
すなわち、ＣＰＵ１１は、マスター側のフレーム位置Ｍｆｐｏｓが第１のフレーム区間（アドレスｂに対応するフレーム位置ｍｆｂに達するまでの区間）に該当する場合には（ステップＳ１４：ＹＥＳ）、マスター側の動画像に映されたゴルファーのゴルフスイングの速度と、スレーブ側の動画像に映されたゴルファーのゴルフスイングの速度との当該フレーム区間における速度比をＭａｂ／Ｓａｂとして算出し（比較し）、この算出されたゴルフスイングの速度比（Ｍａｂ／Ｓａｂ）をフレーム間隔係数Ｓｋとして取得する（ステップＳ１５）。
【００４４】
同様に、ＣＰＵ１１は、マスター側のフレーム位置Ｍｆｐｏｓが第２のフレーム区間（アドレスｂに対応するフレームｍｆｂから振り上げの最高点ｃに対応するフレーム位置ｍｆｃに達するまでの区間）に該当する場合には（ステップＳ１６：ＹＥＳ）、当該フレーム区間におけるゴルフスイングの速度比をＭｂｃ／Ｓｂｃとして算出し（比較し）、この算出されたゴルフスイングの速度比（Ｍｂｃ／Ｓｂｃ）をフレーム間隔係数Ｓｋとして取得する（ステップＳ１７）。
【００４５】
また、ＣＰＵ１１は、マスター側のフレーム位置Ｍｆｐｏｓが第３のフレーム区間（振り上げの最高点ｃに対応するフレーム位置ｍｆｃからインパクトｄに対応するフレーム位置ｍｆｄに達するまでの区間）に該当する場合には（ステップＳ１８：ＹＥＳ）、当該フレーム区間におけるゴルフスイングの速度比をＭｃｄ／Ｓｃｄとして算出し（比較し）、この算出されたゴルフスイングの速度比（Ｍｃｄ／Ｓｃｄ）をフレーム間隔係数Ｓｋとして取得する（ステップＳ１９）。
【００４６】
また、ＣＰＵ１１は、マスター側のフレーム位置Ｍｆｐｏｓが第４のフレーム区間（インパクトｄに対応するフレーム位置ｍｆｄからフィニッシュｅに対応するフレームｍｆｅまでの区間）に該当する場合には（ステップＳ１８：ＮＯ）、当該フレーム区間におけるゴルフスイングの速度比をＭｄｅ／Ｓｄｅとして算出し（比較し）、この算出されたゴルフスイングの速度比（Ｍｄｅ／Ｓｄｅ）をフレーム間隔係数Ｓｋとして取得する（ステップＳ２０）。
【００４７】
引き続き、ＣＰＵ１１は、ステップＳ１５，Ｓ１７，Ｓ１９，Ｓ２０のいずれかの処理により取得したフレーム間隔係数Ｓｋを、マスター側の動画像の撮影時のフレームレートに対応するフレーム間隔時間Ｍｆに乗じることによって、各フレーム区間毎に、スレーブ側の動画像のフレーム間隔時間Ｓｆを取得する（ステップＳ２１）。このフレーム間隔時間Ｓｆは、各フレーム区間に対応する動画の再生期間において、マスター側の動画像に映されたゴルファーのゴルフスイングの速度と、スレーブ側の動画像に映されたゴルファーのゴルフスイングの速度とが同じ速度となるように、スレーブ側の動画像の再生時の再生速度（フレームレート）を変更して設定するための情報である。
【００４８】
本実施形態においては、動画像を再生する際のフレームレートを変化させることで再生速度を変化させているが（ゴルフスイングの速度を変化させているが）、フレームレートを変化させる代わりに、フレームの間引きや補間を行うことで、フレームレートを維持したままで動画像の再生速度だけを変化させるようにしてもよい。
【００４９】
つまり、上記の処理は、各フレーム区間において、マスター側の動画像に映されたゴルファーのゴルフスイングの速度と、スレーブ側の動画像に映されたゴルファーのゴルフスイングの速度とを比較し、その比較結果に応じて、マスター側の動画像に映されたゴルファーのゴルフスイングの速度と、スレーブ側の動画像に映されたゴルファーのゴルフスイングの速度とが同じ速度となるように、スレーブ側の動画像の再生時の再生速度を変化させている。
【００５０】
なお、本実施形態においては、マスター側の動画像とスレーブ側の動画像とは同じフレームレート（フレーム間隔）で撮影されたものとして説明したが、マスター側の動画像とスレーブ側の動画像とが異なるフレームレート（フレーム間隔）で撮影されたものである場合には、上述した各種計算において、フレーム番号であるフレーム位置を表す数値の代わりに、この数値に対して各々の動画像のフレーム間隔を乗算したものを計算に用いるようにすればよい。
【００５１】
しかる後、ＣＰＵ１１は、マスター側の動画像に映されたゴルファーのゴルフスイングの速度に対するスレーブ側の動画像に映されたゴルファーのゴルフスイングの速度の割合、つまりゴルフスイングの速度比（１００／Ｓｋ）を取得し、取得したゴルフスイングの速度比を表示部１５に再生中のスレーブ側の動画像に重畳してパーセントで表示する（ステップＳ２２）。図５（ｂ）は、上記スレーブ速度比が８５％である場合の例を示した図である。
【００５２】
なお、本実施形態においては、ゴルフスイングの速度比を取得して表示したが、ゴルフスイングの速度比を取得して表示する代わりに、マスター側の動画像の再生速度に対するスレーブ側の動画像の再生速度の割合、つまり通常の再生速度に対する割合であるスレーブ速度比（１００／Ｓｆ）を取得し、この取得したスレーブ速度比を表示部１５に再生中のスレーブ側の動画像に重畳してパーセントで表示するようにしてもよい。
【００５３】
つまり、上記の処理は、各フレーム区間に対応する動画の再生期間において、マスター側の動画像に映されたゴルファーのゴルフスイングの速度と、スレーブ側の動画像に映されたゴルファーのゴルフスイングの速度とを比較し、その比較結果に係る比較情報を表示させている。
【００５４】
やがて、ＣＰＵ１１は、マスター側のタイマのカウント時間Ｍｔが、撮影時のフレームレートに応じたフレーム間隔時間Ｍｆとなると（ステップＳ２３：ＹＥＳ）、現在のフレーム位置がＭｆｐｏｓがフィニッシュｅに対応するフレーム位置ｍｆｅでなければ（ステップＳ２４：ＮＯ）、フレーム位置Ｍｆｐｏｓをインクリメントし（ステップＳ２５）、マスター側の動画像の次のフレームの画面を再生し（ステップＳ２６）、マスター側のタイマを再起動する（ステップＳ２７）。
【００５５】
その後、ＣＰＵ１１は、ステップＳ１４の処理へ戻り、フレーム位置Ｍｆｐｏｓがフィニッシュｅに対応するフレーム位置ｍｆｅとなるまでの間（ステップＳ２４：ＮＯ）、前述した処理を繰り返す。これにより、マスター側の動画像を撮影時と同様のフレームレートでフィニッシュｅに対応するフレーム位置ｍｆｅまで再生する。
【００５６】
その間には、マスター側の再生フレームが該当するフレーム区間に変化しなければ、ステップＳ２２でスレーブ側の動画像内に表示されるスレーブ速度比が同一の値が維持される。また、フレーム区間が次のフレーム区間に変化することに伴い、当該フレーム区間におけるマスター側の動画像における被写体の動作速度を基準とするスレーブ側の動画像における被写体の相対速度が変化していた場合には、それがスレーブ側の動画像内に表示されるスレーブ速度比に反映される。
【００５７】
一方、ＣＰＵ１１は、上記のようにマスター側の動画像を撮影時のフレームレートで再生する間、それと並行した以下の処理によってスレーブ側の動画像を再生する。
【００５８】
すなわちＣＰＵ１１は、スレーブ側のタイマ値Ｓｔが前述したフレーム間隔時間Ｓｆとなると（ステップＳ２３：ＮＯ、ステップＳ２８：ＹＥＳ）、スレーブ側の現在のフレーム位置Ｓｆｐｏｓがフィニッシュｅに対応するフレーム位置ｓｆｅでなければ（ステップＳ２９：ＮＯ）、フレーム位置Ｓｆｐｏｓをインクリメントし（ステップＳ３０）、スレーブ側の動画像の次のフレームの画面を再生し（ステップＳ３１）、スレーブ側のタイマを再起動する（ステップＳ３２）。
【００５９】
その後、ＣＰＵ１１は、ステップＳ１４へ戻り、フレーム位置Ｓｆｐｏｓがフィニッシュｅに対応するフレーム位置ｓｆｅとなるまでの間（ステップＳ２９：ＮＯ）、前述した処理を繰り返す。これにより、スレーブ側の動画像をフィニッシュｅに対応するフレーム位置ｓｆｅまで再生する。
【００６０】
また、その間には、スレーブ側のフレーム間隔時間Ｓｆ、つまりフレームレートを前述したステップＳ１４〜Ｓ２０の処理により第１〜第４のフレーム区間毎に適宜調整することによって、スレーブ側のフィニッシュｅまでの各特徴ポイントの表示タイミングをマスター側の動画像の対応する各ポイントの表示タイミングに同期させる。
【００６１】
さらに、ＣＰＵ１１は、処理上でのタイミング調整を目的として、以下の処理を行う。ＣＰＵ１１は、マスター側の動画像をフィニッシュｅに対応するフレーム位置ｍｆｅまで再生した後（ステップＳ２４：ＹＥＳ）、スレーブ側の動画像のフレーム位置Ｓｆｐｏｓがフィニッシュｅに対応するフレーム位置ｓｆｅとなっていなければ（ステップＳ３３：ＮＯ）、ステップＳ１４へ戻り前述した処理を行う。
【００６２】
同様に、ＣＰＵ１１は、スレーブ側の動画像をフィニッシュｅに対応するフレーム位置ｓｆｅまで再生した後（ステップＳ２９：ＹＥＳ）、マスター側の動画像のフレーム位置Ｍｆｐｏｓがフィニッシュｅに対応するフレーム位置ｆｅとなっていなければ（ステップＳ３４：ＮＯ）、ステップＳ１４へ戻り前述した処理を行う。
【００６３】
そして、ＣＰＵ１１は、マスター側及びスレーブ側の双方の動画像についてフィニッシュｅに対応するフレーム位置ｆｅまでの再生（表示）を完了した時点で（ステップＳ３３：ＹＥＳ）、同期再生処理を終了する。
【００６４】
これにより、マスター側及びスレーブ側の双方の動画像が、ゴルフスイングにおける複数の特徴ポイント（ｂ〜ｅ）の表示タイミングを一致させた状態で同時に表示される。したがって、ユーザは例えばプロのゴルフプレイヤーのゴルフスイングと、自分自身のゴルフスイングとを容易に比較することができる。
【００６５】
その後、ＣＰＵ１１は図２に示した処理に戻り、前述した「通常再生」又は「同期再生」のいずれかの方法によるマスター側及びスレーブ側の動画像の再生が終了した時点で、同時再生処理を終了する。
【００６６】
以上説明したように本実施形態においては、ユーザにより「同期再生」が選択された場合、マスター側及びスレーブ側の動画像を再生している間、マスター側の動画像に映されたゴルファーのゴルフスイングの速度と、スレーブ側の動画像に映されたゴルファーのゴルフスイングの速度との比較結果に係る比較情報（スレーブ速度比）をスレーブ側の動画像に重畳して表示させる。
【００６７】
したがって、ユーザにおいては、例えばプロのゴルフプレイヤーのゴルフスイングと、自分自身のゴルフスイングとを比較する際、フォームの違いを容易に知ることができるだけでなく、双方のゴルフスイングにおける動作速度の違いを認識することができる。よって、双方のゴルフスイングの違いをより詳細に比較することができる。
【００６８】
しかも、スレーブ側の動画像におけるゴルフスイングの動作速度を、各特徴ポイント（アドレス、振り上げの最高点、インパクト、フィニッシュ）をそれぞれ起点又は終点とする複数の動作区間毎に制御するため、各特徴ポイントでのフォームの違いをより一層容易に知ることができる。
【００６９】
なお、本実施形態においては、前述したスレーブ速度比をスレーブ側の動画像に重畳して表示させるものについて説明したが、スレーブ速度比はスレーブ側の動画像に関係付けられていればよく、例えば単にスレーブ側の動画像の近傍に表示させてもよい。
【００７０】
また、前述したスレーブ速度比は必ずしも数値として表示させる必要はなく、数値以外にも任意の表示形態で表示させてもよい。例えば数値に代えて、スレーブ速度比に応じて伸縮する棒状のゲージや、スレーブ速度比を示す速度メータを模したゲージを表示させてもよい。
【００７１】
さらに、前述した同期再生処理においては、マスター側の動画像に映されたゴルフスイングの速度と、スレーブ側の動画像に映されたゴルフスイングの速度との比較結果に係る比較情報であれば、スレーブ速度比以外の他の情報を本発明の比較情報として表示させてもよい。
【００７２】
例えばスレーブ側の動画像の所定領域に、スレーブ側の動画像に映されたゴルフスイングの速度がマスター側の動画像に映されたゴルフスイングの動作速度よりも遅い場合には下向きの矢印を、逆に速い場合には上向きの矢印をそれぞれ重畳して表示させ、同時に、係る矢印の本数を、双方のゴルフスイングの速度の差に応じて増減させてもよい。係る矢印の表示によっても、ユーザにマスター側とスレーブ側のゴルフスイングにおける動作速度の違いを認識させることができる。
【００７３】
また、本実施形態においては、スレーブ側の動画像の再生速度をゴルフスイング中の動作区間毎に調整することによって、ゴルフスイングにおける複数の特徴ポイント（ｂ〜ｅ）の表示タイミングを一致させるものについ説明したが、以下のようにしてもよい。
【００７４】
すなわちスレーブ側の動画像の再生速度を所定の速度に固定し、単に、先頭ａとフィニッシュｅの表示タイミング、つまり比較対象となる被写体の特定動作の開始時点と終了時点の表示タイミングのみを一致させるようにしてもよい。
【００７５】
また、本実施形態のようにゴルフスイング中の複数の特徴ポイント（ｂ〜ｅ）の表示タイミングを一致させる場合には、特徴ポイントは自動に設定するのでなく、ユーザに手動で設定させる構成としてもよい。
【００７６】
また、本実施形態においては、同期再生する２つの動画像の一方をマスターとし、かつ他方をスレーブとするとともに、スレーブ側のゴルフスイングの動作速度を制御することによって、再生される双方の動画像におけるゴルフスイングの動作速度を一致させる場合について説明した。
【００７７】
しかし、２つの動画像を同期再生する際には、双方の動画像におけるゴルフスイングの動作速度をそれぞれ制御するようにしてもよい。例えば同期再生時におけるゴルフスイングの動作速度を、いずれか一方の動画像における実際の動作速度のｎ倍とする、つまり２つの動画像をスロー再生してもよい。その場合の同期再生中には、双方の動画像について撮影時の再生速度に対する再生速度の割合である速度比を個別に取得し、取得した速度比を各々の動画像に重畳して表示させればよい。
【００７８】
また、例えば２つの動画像を同期再生する際、一方又は双方の動画像におけるゴルフスイングの動作速度を撮影時における実際の速度よりも速い速度に制御する場合には、その動画像のフレームを一定の割合で間引くことにより、同期再生時におけるゴルフスイングの動作速度を制御するようにしてもよい。
【００７９】
また、本実施形態においては、同期再生する動画像が２つの場合について説明したが、同期再生する動画像の数は３以上であってもよい。その場合の同期再生時においても、各動画像のゴルフスイングの動作速度は、基準となるいずれかの動画像におけるゴルフスイングの動作速度と一致させてもよいし、それ以外の予め設定されている動作速度に制御するようにしてもよい。
【００８０】
また、本実施形態においては、各特徴ポイント（アドレス、振り上げの最高点、インパクト、フィニッシュ）をそれぞれ起点又は終点とする複数の動作区間を設定したが、各特徴ポイントを跨ぐように（各特徴ポイントが起点と終点の中間に位置するように）複数の動作区間を設定するようにしてもよい。このようにすれば、各特徴ポイントにおけるゴルフスイングの動作速度がよりわかりやすくなる。
【００８１】
また、本実施形態においては、マスター側のゴルフスイングの動作速度を基準としてスレーブ側のゴルフスイングの動作速度を変更するように、マスター側の動画像の再生速度を固定してスレーブ側の動画像の再生速度を変化させたが、どちらがマスターでどちらがスレーブかを決めることなく、各特徴ポイントにおけるゴルフスイングの動作速度がより速い方（または遅い方）に合わせて他方のゴルフスイングの動作速度を変更するように、複数の特徴ポイントの各々において、再生速度を変化させる動画像を切り換え選択しながら再生速度を制御するようにしてもよい。
【００８２】
また、各特徴ポイントにおいて複数のゴルフスイングの動作速度の中間速度（平均速度）に合わせて両方のゴルフスイングの動作速度を同時に変更するように、各々の動画像の再生速度を同時に変化させるようにしてもよい。
【００８３】
また、本実施形態においては、同時再生の対象となる複数の動画像に映された実被写体である各々の人物が行うゴルフスイング同士を直接的に比較して速度調整や比較情報（速度調整情報）の表示を行ったが、以下のようにしてもよい。
【００８４】
例えば同時再生の対象となる複数の動画像に映された人物（例えば、アマチュアゴルファーＡ、アマチュアゴルファーＢ）とは別の人物（例えば、プロゴルファーＣ）が行うゴルフスイングを映した同時再生の対象とはならない動画像を取得し、アマチュアゴルファーＡとアマチュアゴルファーＢのゴルフスイングの動作速度を直接的に比較する代わりに、アマチュアゴルファーＡとプロゴルファーＣのゴルフスイングの動作速度の違いと、アマチュアゴルファーＢとプロゴルファーＣのゴルフスイングの動作速度の違いとを別々に比較し、これらの比較結果に基づいて、アマチュアゴルファーＡとアマチュアゴルファーＢのゴルフスイングの動作速度の違いを間接的に比較して速度調整や比較情報（速度調整情報）の表示を行うようにしてもよい。
【００８５】
また、この場合、アマチュアゴルファーＡのゴルフスイングが映された動画像とアマチュアゴルファーＢのゴルフスイングが映された動画像の２つは必ずしも同時再生する必要はない。すなわち別々なタイミングで再生した場合であっても、２つの動画像の比較対象となるゴルフスイングが、同じプロゴルファーＣのゴルフスイングであれば、それぞれの動画像で表示される比較情報（速度調整情報）を比較することにより、アマチュアゴルファーＡのゴルフスイングとアマチュアゴルファーＢのゴルフスイングを間接的に比較することが可能となる。
【００８６】
また、上記の場合において、プロゴルファーＣのゴルフスイングの動画像を取得するのではなく、プロゴルファーＣのゴルフスイングの動作速度に関する情報を、数値データのような形で取得してもよい（この場合の動作速度に関する数値データは、実際のプロゴルファーのゴルフスイングに基づくものではなくとも、仮想ゴルファーを想定して論理的に求められた理想スイングの動作速度に関する数値データであってもよい。
【００８７】
また、主として比較対象となる被写体の特定動作がゴルフスイングである場合につい説明したが、本発明は、被写体の特定動作が野球のバットのスイングや投球、テニスラケットのスイング等の各種スポーツのフォームや、それ以外の任意の動作である場合であっても適用することができる。
【００８８】
以上、本発明の実施形態、及びその変形例について説明したが、これらは本発明の作用効果が得られる範囲内であれば適宜変更が可能であり、変更後の実施形態も特許請求の範囲に記載された発明、及びその発明と均等の発明の範囲に含まれる。以下に、本出願の当初の特許請求の範囲に記載された発明を付記する。
［請求項１］
被写体の特定動作が撮影された動画像を再生して表示する再生表示手段と、
前記被写体の特定動作との比較対象となる特定動作の動作速度に関する情報を取得する取得手段と、
前記再生表示手段により再生して表示される前記動画像における前記被写体の特定動作の動作速度と、前記取得手段により取得された前記情報により示される前記比較対象となる特定動作の動作速度とを比較する比較手段と、
前記再生表示手段による前記特定動作の再生期間における再生速度を、前記比較手段の比較結果に応じて制御する速度制御手段と、
前記再生表示手段による前記特定動作の再生期間において、前記比較手段の比較結果に係る比較情報を前記再生表示手段に表示させる表示制御手段と
を備えたことを特徴とする動画再生装置。
［請求項２］
前記取得手段は、前記特定動作を構成する複数の動作区間毎の動作速度に関する情報を取得し、
前記比較手段は、前記再生表示手段により再生される前記動画像における前記被写体の特定動作の動作速度と、前記取得手段により取得された前記情報により示される前記比較対象となる特定動作の動作速度とを前記複数の動作区間毎に比較し、
前記速度制御手段は、前記比較手段による前記複数の動作区間毎の比較結果に応じて前記再生表示手段により前記動画像を再生して表示する際の再生速度を前記複数の動作区間毎に制御し、
前記表示制御手段は、前記比較手段による前記複数の動作区間毎の比較結果に係る比較情報を前記再生表示手段による各動作区間の再生中に前記表示再生手段に表示させる
ことを特徴とする請求項１記載の動画再生装置。
［請求項３］
前記速度制御手段は、前記比較手段の比較結果に応じて、前記再生表示手段により再生して表示される前記動画像における前記被写体の特定動作の動作速度が、前記取得手段により取得された前記情報により示される前記比較対象となる特定動作の動作速度と同じになるように、前記再生表示手段により前記動画像を再生する際の再生速度を制御することを特徴とする請求項１または２に記載の動画再生装置。
［請求項４］
前記再生表示手段は、被写体の特定動作が個別に撮影された複数の動画像を同時再生して表示し、
前記速度制御手段は、前記比較手段の比較結果に基づいて、前記再生表示手段により同時再生される前記複数の動画像の各々における前記特定動作の動作速度が同一速度となるように、前記複数の動画像の再生速度を制御する
ことを特徴とする請求項３記載の動画再生装置。
［請求項５］
前記取得手段は、前記再生表示手段により同時再生される複数の動画像のうちの１つに映された被写体の特定動作を前記比較対象となる特定動作として、この特定動作の動作速度に関する情報を取得することを特徴とする請求項４記載の動画再生装置。
［請求項６］
前記取得手段は、前記再生表示手段により同時再生される複数の動画像のいずれにおける被写体の特定動作とも異なる実被写体または仮想被写体の特定動作を前記比較対象となる特定動作として、この特定動作の動作速度に関する情報を取得し、
前記比較手段は、前記再生手段により同時再生される複数の動画像の各々について、各動画像における前記被写体の特定動作の動作速度と、前記取得手段により取得された前記情報により示される前記比較対象となる実被写体または仮想被写体の特定動作の動作速度とを比較する
ことを特徴とする請求項４記載の動画再生装置。
［請求項７］
前記表示制御手段は、前記速度制御手段の制御に伴い前記特定動作の再生時の動作速度が撮影時の動作速度から変更された動画像における、前記特定動作の動作速度の変更度合を表す速度調整情報を前記比較情報として、前記再生表示手段による前記特定動作の再生期間に前記再生表示手段に表示させることを特徴とする請求項１乃至６のいずれか１項に記載の動画再生装置。
［請求項８］
前記速度制御手段は、前記比較手段の比較結果に応じて、前記複数の動画像のうちの所定の動画像の再生速度のみを変化させることで、前記複数の動画像の各々における前記特定動作の動作速度が同一速度となるように制御することを特徴とする請求項４記載の動画再生装置。
［請求項９］
前記速度制御手段は、前記比較手段の比較結果に応じて、前記複数の動画像の各々の再生速度を変化させることで、前記複数の動画像の各々における前記特定動作の動作速度が同一速度となるように制御することを特徴とする請求項４記載の動画再生装置。
［請求項１０］
前記再生表示手段は、被写体の特定動作が個別に撮影された複数の動画像を同時再生して表示し、
前記速度制御手段は、前記比較手段による前記複数の動作区間毎の比較結果に応じて、前記再生表示手段により同時再生される前記複数の動画像の各々における前記特定動作の動作速度が前記複数の動作区間毎に同一速度となるように、前記再生表示手段により前記動画像を再生する際の再生速度を前記複数の動作区間毎に制御する
ことを特徴とする請求項２記載の動画再生装置。
［請求項１１］
前記速度制御手段は、前記比較手段の比較結果に応じて、前記複数の動作区間毎に、前記複数の動画像のうちのいずれの再生速度をどのように変化させるかを決定し、この決定に従って前記複数の動画像の再生速度を前記複数の動作区間毎に変化させることを特徴とする請求項１０記載の動画再生装置。
［請求項１２］
前記表示制御手段は、前記速度制御手段の制御に伴い前記複数の動画像のうちのいずれの動画像における前記特定動作の動作速度がどのように変化したかを表す速度調整情報を、前記再生表示手段による各動作区間の再生中に前記再生表示手段に表示させることを特徴とする請求項１１記載の動画再生装置。
［請求項１３］
前記表示制御手段は、特定の動画像における前記特定動作の動作速度の絶対的な変化ではなく、前記複数の動画像における前記特定動作の動作速度の相対的な変化を表す速度調整情報を、前記再生表示手段による各動作区間の再生中に前記表示手段に表示させることを特徴とする請求項１１記載の動画再生装置。
［請求項１４］
前記再生表示手段は、被写体の特定動作が個別に撮影された複数の動画像を同時再生して表示し、
前記取得手段は、前記特定動作を構成する複数の動作区間毎の動作速度に関する情報を取得し、
前記比較手段は、前記再生表示手段により同時再生して表示される前記複数の動画像における前記被写体の特定動作の動作速度と、前記取得手段により取得された前記情報により示される前記比較対象となる特定動作の動作速度とを前記複数の動作区間毎に比較し、
前記速度制御手段は、前記比較手段の比較結果に基づいて、前記再生表示手段により同時に再生して表示される前記複数の動画像の各々における前記特定動作の動作速度が同一速度となるように、前記複数の動画像の再生速度を前記複数の動作区間毎に制御し、
前記表示制御手段は、前記比較手段による前記複数の動作区間毎の比較結果に係る比較情報を前記再生表示手段による各動作区間の再生中に前記表示再生手段に表示させる
ことを特徴とする請求項４記載の動画再生装置。
［請求項１５］
前記速度制御手段は、前記再生表示手段により同時再生して表示する際の前記複数の動画像の各々における再生速度を、各々における前記特定動作の動作速度をいずれかかの動画像における前記特定動作の撮影時の動作速度と同一速度となるように、前記複数の動作区間毎に制御することを特徴とする請求項１４記載の動画再生装置。
［請求項１６］
前記再生表示手段は、前記複数の動画像として第１の動画像と第２の動画像とを同時再生して表示し、
前記速度制御手段は、前記再生表示手段により同時再生される前記第２の動画像における前記特定動作の動作速度が前記第１の動画像における前記特定動作の動作速度と同一速度となるように、前記第２の動画像の再生速度に制御する
ことを特徴とする請求項１４又は１５記載の動画再生装置。
［請求項１７］
前記表示制御手段は、前記比較情報を、前記速度制御手段の制御に伴い前記特定動作の再生時の動作速度が撮影時の動作速度から変更された動画像に関係付けて前記再生表示手段に表示させることを特徴とする請求項１４又は１５，１６記載の動画再生装置。
［請求項１８］
前記表示制御手段は、前記速度制御手段の制御に伴い前記特定動作の再生時の動作速度が撮影時の動作速度から変更された動画像における、前記特定動作の動作速度の変更度合を表す速度調整情報を前記比較情報として、前記再生表示手段による各動作区間の再生中に前記表示再生手段に表示させることを特徴とする請求項１４乃至１７のいずれか１項に記載の動画再生装置。
［請求項１９］
前記表示制御手段は、前記特定動作おける前記複数の動作区間毎の前記速度調整情報として、前記特定動作の動作速度の変更度合を表す数値を前記再生表示手段に表示させることを特徴とする請求項１８記載の動画再生装置。
［請求項２０］
前記表示制御手段は、前記特定動作おける前記複数の動作区間毎の前記速度調整情報として、前記速度制御手段による調整前後の再生速度の比を表す情報を、各動作区間の再生中に前記再生表示手段に表示させることを特徴とする請求項１８又は１９記載の動画再生装置。
［請求項２１］
前記特定動作はゴルフスイングであることを特徴とする請求項１乃至２０のいずれか１項に記載の動画再生装置。
［請求項２２］
前記特定動作はゴルフスイングであり、
前記速度制御手段は、前記複数の動画像の各々におけるゴルフスイングの動作速度を、ゴルフスイングにおける複数の動作ポイントにより分割される複数の動作区間毎に同一速度に制御する
ことを特徴とする請求項２乃至２０のいずれか１項に記載の動画再生装置。
［請求項２３］
被写体の特定動作が撮影された動画像を再生して表示する工程と、
前記被写体の特定動作との比較対象となる特定動作の動作速度に関する情報を取得する工程と、
前記動画像における前記被写体の特定動作の動作速度と、前記情報により示される前記比較対象となる特定動作の動作速度とを比較する工程と、
前記動画像における前記被写体の前記特定動作の再生期間における再生速度を、前記比較の結果に応じて制御する工程と、
前記動画像における前記被写体の前記特定動作の再生期間において、前記比較の結果に係る比較情報を表示する工程と
を含むことを特徴とする動画再生方法。
［請求項２４］
被写体の特定動作が撮影された動画像を再生して表示する再生表示手段を備えた動画装置が有するコンピュータを、
前記被写体の特定動作との比較対象となる特定動作の動作速度に関する情報を取得する取得手段と、
前記再生表示手段により再生して表示される前記動画像における前記被写体の特定動作の動作速度と、前記取得手段により取得された前記情報により示される前記比較対象となる特定動作の動作速度とを比較する比較手段と、
前記再生表示手段による前記特定動作の再生期間における再生速度を、前記比較手段の比較結果に応じて制御する速度制御手段と、
前記再生表示手段による前記特定動作の再生期間において、前記比較手段の比較結果に係る比較情報を前記再生表示手段に表示させる表示制御手段と
して機能させることを特徴とするプログラム。
【符号の説明】
【００８９】
１    動画再生装置
１１    ＣＰＵ
１２    プログラムメモリ
１３    メインメモリ
１４    メディアコントローラ
１５    表示部
１６    キー入力部
５０    記録メディア
１０１    再生マーク
１０２    同期マーク
Ｇ    表示画面
【図１】
2014225772.tif 000003
【図２】
2014225772.tif 000004
【図３】
2014225772.tif 000005
【図４】
2014225772.tif 000006
【図５】
2014225772.tif 000007